(57)【要約】【課題】電力消費量等に代表される負荷量を的確に予測する。【解決手段】定期的に測定される第１負荷量、前日に測定された第２負荷量および一週間前に測定された第３負荷量を含むデータを、履歴データとして登録する登録部と、予測日の前日に測定された第４負荷量および予測日の一週間前に測定された第５負荷量を含むデータを予測用パラメータとして取得する取得部と、予測用パラメータに基づいて履歴データの中から予測用パラメータに類似する履歴データを選定する選定部と、履歴データに含まれる第１負荷量を予測日の負荷量とする予測部と、を備え、取得部は、予測日、予測日の前日または予測日の一週間前のいずれかが特異日に該当する場合、第４負荷量または第５負荷量の少なくともいずれか一方が特異日の設定パターンに応じて定まる代替日に測定された負荷量に変更された予測用パラメータを取得する。【選択図】図１
2014057473.tif 000002
【特許請求の範囲】
【請求項１】
一週間単位で類似の推移状態を繰り返す傾向にある負荷量を予測する負荷量予測装置であって、
定期的に測定される前記負荷量である第１負荷量、前記第１負荷量を測定した日の前日に測定された前記負荷量である第２負荷量、および前記第１負荷量を測定した日の一週間前に測定された前記負荷量である第３負荷量を含むデータを、履歴データとして登録する登録部と、
前記負荷量の予測日の前日に測定された負荷量である第４負荷量、および前記予測日の一週間前に測定された前記負荷量である第５負荷量を含むデータを、予測用パラメータとして取得する取得部と、
前記取得部により取得された前記予測用パラメータに基づいて、前記登録部により登録された前記履歴データの中から、前記予測用パラメータに類似する前記履歴データを選定する選定部と、
前記選定部により選定された前記履歴データに含まれる、前記第１負荷量に対応する負荷量を、前記予測日における負荷量とする予測部と、を備え、
前記取得部は、前記予測日、前記予測日の前日または前記予測日の一週間前のうちのいずれかが、予め設定した特異日に該当する場合に、前記第４負荷量または前記第５負荷量のうち少なくともいずれか一方を、当該特異日の設定パターンに応じて定まる代替日に測定された前記負荷量に変更した、前記予測用パラメータを取得する、
ことを特徴とする負荷量予測装置。
【請求項２】
前記特異日は、当該特異日に測定される前記負荷量の推移が、前記一週間単位で繰り返される前記推移状態から逸脱する日である、ことを特徴とする請求項１記載の負荷量予測装置。
【請求項３】
前記取得部は、前記予測日、前記予測日の前日または前記予測日の一週間前のうち、前記予測日のみが休日になるように前記特異日が設定されている場合には、前記第５負荷量を、前記代替日となる、前記予測日の直近の土曜日に測定された前記負荷量に変更した、前記予測用パラメータを取得する、
ことを特徴とする請求項１または２記載の負荷量予測装置。
【請求項４】
前記取得部は、前記予測日、前記予測日の前日または前記予測日の一週間前のうち、前記予測日の前日のみが休日になるように前記特異日が設定されている場合には、前記第５負荷量を、前記代替日となる、前記予測日の直近の月曜日に測定された前記負荷量に変更した、前記予測用パラメータを取得する、
ことを特徴とする請求項１または２記載の負荷量予測装置。
【請求項５】
前記取得部は、前記予測日、前記予測日の前日または前記予測日の一週間前のうち、前記予測日および前記予測日の前日が休日になるように前記特異日が設定されている場合には、前記第４負荷量を、前記代替日となる、前記予測日の直近の土曜日に測定された前記負荷量に変更し、前記第５負荷量を、前記代替日となる、前記直近の土曜日の直前の日曜日に測定された前記負荷量に変更した、前記予測用パラメータを取得する、
ことを特徴とする請求項１または２記載の負荷量予測装置。
【請求項６】
前記取得部は、前記予測日、前記予測日の前日または前記予測日の一週間前のうち、前記予測日の一週間前のみが休日になるように前記特異日が設定されている場合には、前記第５負荷量を、前記代替日となる、前記予測日の直近の同一曜日かつ前記特異日が設定されていない日に測定された前記負荷量に変更した、前記予測用パラメータを取得する、
ことを特徴とする請求項１または２記載の負荷量予測装置。
【請求項７】
前記取得部は、前記予測日、前記予測日の前日または前記予測日の一週間前のうち、前記予測日および前記予測日の一週間前が休日になるように前記特異日が設定されている場合には、前記第５負荷量を、前記代替日となる、前記予測日の直近の土曜日に測定された前記負荷量に変更した、前記予測用パラメータを取得する、
ことを特徴とする請求項１または２記載の負荷量予測装置。
【請求項８】
前記取得部は、前記予測日、前記予測日の前日または前記予測日の一週間前のうち、前記予測日の前日および前記予測日の一週間前が休日になるように前記特異日が設定されている場合には、前記第５負荷量を、前記代替日となる、前記予測日の直近の月曜日に測定された前記負荷量に変更した、前記予測用パラメータを取得する、
ことを特徴とする請求項１または２記載の負荷量予測装置。
【請求項９】
前記取得部は、前記予測日、前記予測日の前日または前記予測日の一週間前のうち、前記予測日、前記予測日の前日および前記予測日の一週間前の全てが休日になるように前記特異日が設定されている場合には、前記第４負荷量を、前記代替日となる、前記予測日の直近の土曜日に測定された前記負荷量に変更し、前記第５負荷量を、前記代替日となる、前記予測日の直近の土曜日の直前の日曜日に測定された前記負荷量に変更した、前記予測用パラメータを取得する、
ことを特徴とする請求項１または２記載の負荷量予測装置。
【請求項１０】
一週間単位で類似の推移状態を繰り返す傾向にある負荷量を予測する負荷量予測方法であって、
定期的に測定される前記負荷量である第１負荷量、前記第１負荷量を測定した日の前日に測定された前記負荷量である第２負荷量、および前記第１負荷量を測定した日の一週間前に測定された前記負荷量である第３負荷量を含むデータを、履歴データとして登録する登録ステップと、
前記負荷量の予測日の前日に測定された負荷量である第４負荷量、および前記予測日の一週間前に測定された前記負荷量である第５負荷量を含むデータを、予測用パラメータとして取得する取得ステップと、
前記取得ステップにおいて取得された前記予測用パラメータに基づいて、前記登録ステップにおいて登録された前記履歴データの中から、前記予測用パラメータに類似する前記履歴データを選定する選定ステップと、
前記選定ステップにおいて選定された前記履歴データに含まれる、前記第１負荷量に対応する負荷量を、前記予測日における負荷量とする予測ステップと、を含み、
前記取得ステップは、前記予測日、前記予測日の前日または前記予測日の一週間前のうちのいずれかが、予め設定した特異日に該当する場合に、前記第４負荷量または前記第５負荷量のうち少なくともいずれか一方を、当該特異日の設定パターンに応じて定まる代替日に測定された前記負荷量に変更した、前記予測用パラメータを取得する、
ことを特徴とする負荷量予測方法。
【請求項１１】
前記特異日は、当該特異日に測定される前記負荷量の推移が、前記一週間単位で繰り返される前記推移状態から逸脱する日である、ことを特徴とする請求項１０記載の負荷量予測方法。
【請求項１２】
前記取得ステップは、前記予測日、前記予測日の前日または前記予測日の一週間前のうち、前記予測日のみが休日になるように前記特異日が設定されている場合には、前記第５負荷量を、前記代替日となる、前記予測日の直近の土曜日に測定された前記負荷量に変更した、前記予測用パラメータを取得する、
ことを特徴とする請求項１０または１１記載の負荷量予測方法。
【請求項１３】
前記取得ステップは、前記予測日、前記予測日の前日または前記予測日の一週間前のうち、前記予測日の前日のみが休日になるように前記特異日が設定されている場合には、前記第５負荷量を、前記代替日となる、前記予測日の直近の月曜日に測定された前記負荷量に変更した、前記予測用パラメータを取得する、
ことを特徴とする請求項１０または１１記載の負荷量予測方法。
【請求項１４】
前記取得ステップは、前記予測日、前記予測日の前日または前記予測日の一週間前のうち、前記予測日および前記予測日の前日が休日になるように前記特異日が設定されている場合には、前記第４負荷量を、前記代替日となる、前記予測日の直近の土曜日に測定された前記負荷量に変更し、前記第５負荷量を、前記代替日となる、前記直近の土曜日の直前の日曜日に測定された前記負荷量に変更した、前記予測用パラメータを取得する、
ことを特徴とする請求項１０または１１記載の負荷量予測方法。
【請求項１５】
前記取得ステップは、前記予測日、前記予測日の前日または前記予測日の一週間前のうち、前記予測日の一週間前のみが休日になるように前記特異日が設定されている場合には、前記第５負荷量を、前記代替日となる、前記予測日の直近の同一曜日かつ前記特異日が設定されていない日に測定された前記負荷量に変更した、前記予測用パラメータを取得する、
ことを特徴とする請求項１０または１１記載の負荷量予測方法。
【請求項１６】
前記取得ステップは、前記予測日、前記予測日の前日または前記予測日の一週間前のうち、前記予測日および前記予測日の一週間前が休日になるように前記特異日が設定されている場合には、前記第５負荷量を、前記代替日となる、前記予測日の直近の土曜日に測定された前記負荷量に変更した、前記予測用パラメータを取得する、
ことを特徴とする請求項１０または１１記載の負荷量予測方法。
【請求項１７】
前記取得ステップは、前記予測日、前記予測日の前日または前記予測日の一週間前のうち、前記予測日の前日および前記予測日の一週間前が休日になるように前記特異日が設定されている場合には、前記第５負荷量を、前記代替日となる、前記予測日の直近の月曜日に測定された前記負荷量に変更した、前記予測用パラメータを取得する、
ことを特徴とする請求項１０または１１記載の負荷量予測方法。
【請求項１８】
前記取得ステップは、前記予測日、前記予測日の前日または前記予測日の一週間前のうち、前記予測日、前記予測日の前日および前記予測日の一週間前の全てが休日になるように前記特異日が設定されている場合には、前記第４負荷量を、前記代替日となる、前記予測日の直近の土曜日に測定された前記負荷量に変更し、前記第５負荷量を、前記代替日となる、前記予測日の直近の土曜日の直前の日曜日に測定された前記負荷量に変更した、前記予測用パラメータを取得する、
ことを特徴とする請求項１０または１１記載の負荷量予測方法。
【発明の詳細な説明】
【技術分野】
【０００１】
本発明は、負荷量予測装置および負荷量予測方法に関する。
【背景技術】
【０００２】
下記特許文献１には、浄水場で計測された予測変数データに基づいて所定時間後の処理水の濁度を予測するシステムが開示されている。このシステムでは、所定時間後の処理水濁度を予測する際に、次のような事例ベース推論モデルを適用して演算している。まず、過去に得られた履歴データを事例化して事例モデルを生成しておく。新たな入力データが得られたときに、その入力データに最も近い事例を事例モデルから選定する。選定した事例を平均化することで新たな入力データに対応する出力値を算出する。このような事例モデルを用いることで、複雑なモデルを用いることなく過去の実績に基づいた予測を行うことを可能としている。
【先行技術文献】
【特許文献】
【０００３】
【特許文献１】特開２００２−１１９９５６号公報
【発明の概要】
【発明が解決しようとする課題】
【０００４】
ところで、昨今騒がれている電力の供給不足に対し、需要家は、課された電力削減目標を実現するために、節電に努めることが要求される。その一方、工場等では、節電に努めつつも、電力使用の可能な範囲でできる限り効率良く操業することが必要となる。それには、現時点における電力の使用状況に加え、数時間先における電力の使用状況を予測しながら対応することが重要となる。特に、気象条件が厳しくなる夏季や冬季には、電力需要が気象条件によっても大きく左右されるため、需要変動をいち早く捉え、的確な措置を迅速にとることが求められる。上述した特許文献１に記載のシステムでは、事例モデルを利用して処理水の濁度を予測しており、このような事例モデルを適用することで、電力消費量が今後どのように推移していくのかを効率良く把握できる可能性がある。
【０００５】
本発明は、電力消費量等に代表される負荷量を的確に予測することができる負荷量予測装置、および負荷量予測方法を提供することを目的とする。
【課題を解決するための手段】
【０００６】
本発明に係る負荷量予測装置は、一週間単位で類似の推移状態を繰り返す傾向にある負荷量を予測する負荷量予測装置であって、定期的に測定される前記負荷量である第１負荷量、前記第１負荷量を測定した日の前日に測定された前記負荷量である第２負荷量、および前記第１負荷量を測定した日の一週間前に測定された前記負荷量である第３負荷量を含むデータを、履歴データとして登録する登録部と、前記負荷量の予測日の前日に測定された負荷量である第４負荷量、および前記予測日の一週間前に測定された前記負荷量である第５負荷量を含むデータを、予測用パラメータとして取得する取得部と、前記取得部により取得された前記予測用パラメータに基づいて、前記登録部により登録された前記履歴データの中から、前記予測用パラメータに類似する前記履歴データを選定する選定部と、前記選定部により選定された前記履歴データに含まれる、前記第１負荷量に対応する負荷量を、前記予測日における負荷量とする予測部と、を備え、前記取得部は、前記予測日、前記予測日の前日または前記予測日の一週間前のうちのいずれかが、予め設定した特異日に該当する場合に、前記第４負荷量または前記第５負荷量のうち少なくともいずれか一方を、当該特異日の設定パターンに応じて定まる代替日に測定された前記負荷量に変更した、前記予測用パラメータを取得する。
【０００７】
本発明に係る負荷量予測方法は、一週間単位で類似の推移状態を繰り返す傾向にある負荷量を予測する負荷量予測方法であって、定期的に測定される前記負荷量である第１負荷量、前記第１負荷量を測定した日の前日に測定された前記負荷量である第２負荷量、および前記第１負荷量を測定した日の一週間前に測定された前記負荷量である第３負荷量を含むデータを、履歴データとして登録する登録ステップと、前記負荷量の予測日の前日に測定された負荷量である第４負荷量、および前記予測日の一週間前に測定された前記負荷量である第５負荷量を含むデータを、予測用パラメータとして取得する取得ステップと、前記取得ステップにおいて取得された前記予測用パラメータに基づいて、前記登録ステップにおいて登録された前記履歴データの中から、前記予測用パラメータに類似する前記履歴データを選定する選定ステップと、前記選定ステップにおいて選定された前記履歴データに含まれる、前記第１負荷量に対応する負荷量を、前記予測日における負荷量とする予測ステップと、を含み、前記取得ステップは、前記予測日、前記予測日の前日または前記予測日の一週間前のうちのいずれかが、予め設定した特異日に該当する場合に、前記第４負荷量または前記第５負荷量のうち少なくともいずれか一方を、当該特異日の設定パターンに応じて定まる代替日に測定された前記負荷量に変更した、前記予測用パラメータを取得する。
【０００８】
かかる構成を採用することにより、一週間単位で同じような推移状態を繰り返す傾向にある負荷量を予測する際に、予測日の前日の負荷量および予測日の一週間前の負荷量の組み合わせに類似する過去の履歴データに基づいて、予測日の負荷量を算定することができるうえ、予測日、予測日の前日または予測日の一週間前のうちのいずれかが特異日に該当する場合には、特異日における負荷量の推移を取り入れて、負荷量の予測を行うことができるため、電力消費量の予測精度を向上させることが可能となる。
【発明の効果】
【０００９】
本発明によれば、例えば電力消費量等に代表される負荷量を的確に予測することができる負荷量予測装置および負荷量予測方法を提供することができる。
【図面の簡単な説明】
【００１０】
【図１】実施形態における負荷量予測装置の構成を例示する図である。
【図２】入力空間の量子化処理を説明するための図である。（Ａ）は履歴データを例示する図であり、（Ｂ）は三次元の入出力空間ｘ１−ｘ２−ｙを例示する図であり、（Ｃ）は出力変数ｙの出力レンジ幅と出力誤差の許容幅εとの関係を例示する図であり、（Ｄ）はメッシュで区画された入力空間ｘ１−ｘ２を例示する図である。
【図３】原則的に取得される予測用パラメータの内容を説明するためのカレンダー情報の一例である。
【図４】パターン（１）で取得される予測用パラメータの内容を説明するためのカレンダー情報の一例である。
【図５】パターン（２）で取得される予測用パラメータの内容を説明するためのカレンダー情報の一例である。
【図６】パターン（３）で取得される予測用パラメータの内容を説明するためのカレンダー情報の一例である。
【図７】パターン（４）で取得される予測用パラメータの内容を説明するためのカレンダー情報の一例である。
【図８】パターン（５）で取得される予測用パラメータの内容を説明するためのカレンダー情報の一例である。
【図９】パターン（６）で取得される予測用パラメータの内容を説明するためのカレンダー情報の一例である。
【図１０】パターン（７）で取得される予測用パラメータの内容を説明するためのカレンダー情報の一例である。
【図１１】カレンダー情報を設定する際に用いる設定画面の一例である。
【図１２】予測用パラメータの対象日を確認する際に用いる確認画面の一例である。
【図１３】（Ａ）は履歴データの一群を選定した状態を模式的に表した図であり、（Ｂ）は履歴データの一群から一つの代表値を算出した状態を模式的に表した図である。
【図１４】ディスプレイ上に表示される電力消費量の推移グラフを例示する図である。
【発明を実施するための形態】
【００１１】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施することができる。
【００１２】
本実施形態では、負荷量予測装置で予測する負荷量が電力消費量である場合について説明するが、これに限定されず、予測する負荷量が、例えば、蒸気消費量や、冷水熱量、温水熱量である場合についても同様に適用することができる。
【００１３】
図１を参照して、実施形態における負荷量予測装置の構成について説明する。図１に示すように、負荷量予測装置１は、機能的には、例えば、登録部１１と、取得部１２と、選定部１３と、予測部１４とを有する。事例モデルＤＢ３は、後述する事例モデルを蓄積するデータベースである。本実施形態では、登録部１１が、後述する学習機能を実現し、取得部１２、選定部１３および予測部１４が、後述する予測機能を実現する。
【００１４】
ここで、負荷量予測装置１は、物理的には、例えば、ＣＰＵ（Central Processing Unit）と、メモリと、入出力インターフェースとを含んで構成される。メモリには、例えば、ＣＰＵで処理されるプログラムやデータを記憶するＲＯＭ（Read Only Memory）やＨＤＤ（Hard Disk Drive）、主として制御処理のための各種作業領域として使用されるＲＡＭ（Random Access Memory）等の要素が含まれる。これらの要素は、互いにバスを介して接続される。ＣＰＵが、ＲＯＭに記憶されたプログラムを実行し、入出力インターフェースを介して受信されるデータや、ＲＡＭに展開されるデータを処理することで、負荷量予測装置１の各部が有する機能を実現できる。
【００１５】
登録部１１は、測定データを用いて事例モデルを生成し、その後、所定間隔で継続的に得られる測定データを用いて事例モデルを更新する学習機能を有する。以下に、学習機能について説明する。
【００１６】
登録部１１は、履歴データを事例モデルＤＢ３に登録する。履歴データは、例えば、ある測定時刻に測定した電力消費量（第１負荷量）およびエンタルピ、その測定日の前日における測定時刻と同時刻（測定時刻の２４時間前）に測定した電力消費量（第２負荷量）、ならびにその測定日の一週間（７日）前における測定時刻と同時刻（測定時刻の１６８時間前）に測定した電力消費量（第３負荷量）を一組にして一つのデータを構成する。
【００１７】
登録部１１は、履歴データを用いて事例モデルを生成し、その生成した事例モデルを事例モデルＤＢ３に登録する事例生成登録部を含む。事例生成登録部が生成する事例モデルについて、以下に説明する。なお、この事例モデルは、上記特許文献１に記載されている事例ベース推論モデルの理論や手法を取り込んで適用することができる。
【００１８】
事例モデルは、位相（Topology）の概念を導入して作成するモデルであり、所望の出力許容誤差に応じて入力空間を量子化し、単位入力空間（以下、「メッシュ」という。）ごとに、入出力間の関係を定義したものである。
【００１９】
入力空間の量子化は、以下のように行うことができる。ここでは、説明の便宜のために、入力変数をｘ１とｘ２との二つにし、出力変数をｙの一つにした場合について説明する。これは、入力変数を二つにし、出力変数を一つにすることで、三次元の入出力空間を用いて説明することができ、入力空間の量子化を比較的わかりやすく説明することができるためである。これに対して、本実施形態では、履歴データのうち、測定時刻のエンタルピ、前日の電力消費量および一週間前の電力消費量の三つが、上記入力変数に該当し、測定時刻の電力消費量が上記出力変数に該当することになり、入出力空間は四次元となる。入出力空間が四次元になっても、ここで説明する三次元の場合と同様の原理に基づいて行うことができる。
【００２０】
図２（Ａ）に示すように、履歴データは、過去に測定された入力変数ｘ１、ｘ２と出力変数ｙとの組により一つのデータが構成される。この履歴データを、三次元の入出力空間ｘ１−ｘ２−ｙ上に表すと、図２（Ｂ）に示すように分布する。なお、図２（Ｂ）は、ｘ１−ｘ２平面を紙面上に配置した状態で表した図であり、ｘ１−ｘ２平面に直交する出力軸ｙは、ｘ１−ｘ２平面の原点位置において紙面の裏側から表側に向けて配置された状態で表されている。
【００２１】
入力空間ｘ１−ｘ２のメッシュを決める際、図２（Ｃ）に示すように、同一メッシュ内における出力変数ｙの出力レンジ幅が出力誤差の許容幅εに収まるように、メッシュの大きさ（入力量子化数）を決定する。この例示では、図２（Ｄ）に示すように、入力変数ｘ１を１０分割し、入力変数ｘ２を６分割するサイズでメッシュの大きさが決定されている。その結果、入力空間ｘ１−ｘ２は、６０個のメッシュで区画されている。なお、図２（Ｄ）は、上記図２（Ｂ）と同様に、ｘ１−ｘ２平面を紙面上に配置した状態で表した図である。
【００２２】
出力誤差の許容幅εは、事例モデルを用いて出力される予測値と、実際の値との間の誤差をどの程度まで許容するかを示す値であり、モデリング条件として予め設定される。このような許容幅εを用いてメッシュの大きさを決定し、事例モデルを作成することで、その事例モデルに属する入力データを用いて予測する出力データの誤差を、許容幅εの範囲内に収めることが可能となる。
【００２３】
図１に示す取得部１２、選定部１３および予測部１４は、事例モデルＤＢ３に登録された事例モデルを参照し、予測時刻における電力消費量を予測する予測機能を有する。以下に、予測機能について説明する。
【００２４】
取得部１２は、予測時刻における電力消費量を予測する際に用いる予測用パラメータを取得する。予測用パラメータには、原則として、予測日の前日における、予測時刻と同時刻（予測時刻の２４時間前）に測定した電力消費量（第４負荷量）、予測日の一週間前における、予測時刻と同時刻（予測時刻の１６８時間前）に測定した電力消費量（第５負荷量）、および予測時刻に予想されるエンタルピ（以下、「予想エンタルピ」という。）が含まれる。
【００２５】
図３を参照し、上記原則として取得される予測用パラメータの内容について、具体的に説明する。図３の丸で囲んだ３月８日（木）が予測日であり、五角形で囲んだ３月７日（水）が予測日の前日であり、四角で囲んだ３月１日（木）が予測日の一週間前である。図３に示すように、予測日が３月８日（木）である場合には、予測用パラメータのうち、予測日の前日の電力消費量として３月７日（水）に測定された電力消費量が取得され、予測日の一週間前の電力消費量として３月１日（木）に測定された電力消費量が取得され、予測日の予想エンタルピとして３月８日（木）における予想エンタルピが取得される。
【００２６】
ここで、工場や会社等での電力消費量は、一週間単位で類似の推移状態を繰り返す傾向がある。例えば、一般的な会社では、平日である月曜日から金曜日までが稼働日となり、この期間の勤務時間帯は電力消費量が比較的多い状態で推移する。一方、休日である土曜日および日曜日は非稼働日となり、この期間は電力消費量が比較的少ない状態で推移する。
【００２７】
一般に、会社等の稼働日／非稼働日を設定するカレンダー情報には、祝日や季節休暇等が含まれる。祝日や季節休暇は、休日と同様に、電力消費量が比較的少ない状態で推移する。したがって、本来ならば平日である月曜日から金曜日までに祝日や季節休暇が設けられた場合、これらの日の電力消費量の推移を、上述した一週間単位で繰り返される推移状態にあてはめると、その推移状態から逸脱することになる。本願発明では、このような日を、「特異日」と呼ぶことにする。つまり、特異日とは、その特異日に測定される電力消費量の推移が、一週間単位で繰り返される通常時の推移状態から逸脱する日をいう。このような特異日としては、例えば、祝日や、長期休暇等の会社特有の休日、長期休暇中の土日、休日出勤日等が該当する。
【００２８】
ところで、予測用パラメータの取得対象日となる、予測日、予測日の前日または予測日の一週間前のいずれかに特異日が含まれる場合に、上記原則に従って予測用パラメータを取得すると、特異日に特有の電力消費量を予測用パラメータに有効に反映させることができない場合がある。このような予測用パラメータを用いて電力消費量の予測を行うと、予測精度が低下する要因になる。
【００２９】
そこで、本願発明では、予測日、予測日の前日または予測日の一週間前のうちのいずれかが、特異日に該当する場合に、取得部１２が、例外処理として、予測用パラメータの取得内容を変更し、予測用パラメータに、特異日に特有の電力消費量を反映させることとした。これにより、特異日における電力消費量の推移を取り入れて、電力消費量の予測を行うことができるため、予測精度を向上させることができる。
【００３０】
以下において、取得部１２が行う例外処理を、特異日の設定パターンごとに説明する。
【００３１】
（１）予測日、予測日の前日および予測日の一週間前が、それぞれ休日、平日および平日である場合
このパターンは、火曜日から金曜日までのいずれかに休日扱いの特異日が設定された場合に出現するパターンである。
【００３２】
図４を参照し、パターン（１）で取得される予測用パラメータの内容について説明する。図４の丸で囲んだ３月２０日（火）が予測日であり、この日は祝日であるため、特異日となる。予測日の前日は、五角形で囲んだ３月１９日（月）であり、この日は平日である。予測日の一週間前は、３月１３日（火）であり、この日は平日である。
【００３３】
このパターンでは、予測日の前日が平日であり、予測日が休日であるため、予測日を土曜日とみなし、予測日の一週間前のデータとして、予測日の直近の土曜日のデータを使用する。つまり、図４の四角で囲んだ３月１７日（土）に測定された電力消費量を、予測日の一週間前に測定された電力消費量として取得する。
【００３４】
図４に示すように、予測日が３月２０日（火・祝日）である場合には、予測用パラメータのうち、予測日の前日の電力消費量として３月１９日（月）に測定された電力消費量が取得され、予測日の一週間前の電力消費量として３月１７日（土）に測定された電力消費量が取得され、予測日の予想エンタルピとして３月２０日（火・祝日）の予想エンタルピが取得されることになる。
【００３５】
（２）予測日、予測日の前日および予測日の一週間前が、それぞれ平日、休日および平日である場合
このパターンは、月曜日から木曜日までのいずれかに休日扱いの特異日が設定され、その翌日が予測日となる場合に出現するパターンである。
【００３６】
図５を参照し、パターン（２）で取得される予測用パラメータの内容について説明する。図５の丸で囲んだ３月２１日（水）が予測日であり、この日は平日である。予測日の前日は、五角形で囲んだ３月２０日（火）であり、この日は祝日であるため、特異日となる。予測日の一週間前は、３月１４日（水）であり、この日は平日である。
【００３７】
このパターンでは、予測日の前日が休日であり、予測日が平日であるため、予測日を月曜日とみなし、予測日の一週間前のデータとして、予測日の直近の月曜日（特異日を除く）のデータを使用する。つまり、図５の四角で囲んだ３月１９日（月）に測定された電力消費量を、予測日の一週間前に測定された電力消費量として取得する。
【００３８】
図５に示すように、予測日が３月２１日（水）である場合には、予測用パラメータのうち、予測日の前日の電力消費量として３月２０日（火・祝日）に測定された電力消費量が取得され、予測日の一週間前の電力消費量として３月１９日（月）に測定された電力消費量が取得され、予測日の予想エンタルピとして３月２１日（水）の予想エンタルピが取得されることになる。
【００３９】
（３）予測日、予測日の前日および予測日の一週間前が、それぞれ休日、休日および平日である場合
このパターンは、日曜日に続けて休日扱いの特異日が設定され、その特異日が予測日となる場合に出現するパターンである。
【００４０】
図６を参照し、パターン（３）で取得される予測用パラメータの内容について説明する。図６の丸で囲んだ１０月１０日（月）が予測日であり、この日は祝日であるため、特異日となる。予測日の前日は、１０月９日（日）であり、この日は休日である。予測日の一週間前は、１０月３日（月）であり、この日は平日である。
【００４１】
このパターンでは、予測日の前日が休日であり、予測日も休日であるため、予測日を日曜日とみなし、予測日の前日のデータとして、予測日の直近の土曜日のデータを使用し、予測日の一週間前のデータとして、直近の土曜日の直前の日曜日のデータを使用する。つまり、図６の五角形で囲んだ１０月８日（土）に測定された電力消費量を、予測日の前日に測定された電力消費量として取得し、図６の四角で囲んだ１０月２日（日）に測定された電力消費量を、予測日の一週間前に測定された電力消費量として取得する。
【００４２】
図６に示すように、予測日が１０月１０日（月・祝日）である場合には、予測用パラメータのうち、予測日の前日の電力消費量として１０月８日（土）に測定された電力消費量が取得され、予測日の一週間前の電力消費量として１０月２日（日）に測定された電力消費量が取得され、予測日の予想エンタルピとして１０月１０日（月・祝日）の予想エンタルピが取得されることになる。
【００４３】
（４）予測日、予測日の前日および予測日の一週間前が、それぞれ平日、平日および休日である場合
このパターンは、予測日が火曜日から金曜日のいずれかであり、予測日の一週間前に休日扱いの特異日が設定された場合に出現するパターンである。
【００４４】
図７を参照し、パターン（４）で取得される予測用パラメータの内容について説明する。図５の丸で囲んだ３月２７日（火）が予測日であり、この日は平日である。予測日の前日は、五角形で囲んだ３月２６日（月）であり、この日は平日である。予測日の一週間前は、３月２０日（火）であり、この日は祝日であるため、特異日となる。
【００４５】
このパターンでは、予測日が平日で予測日の一週間前が休日扱いの特異日となり、両日の推移状態が異なる波形を示すことになるため、予測日の一週間前のデータとして、予測日の直近の同一曜日であって、かつ特異日が設定されていない日のデータを使用する。つまり、図７の四角で囲んだ３月１３日（火）に測定された電力消費量を、予測日の一週間前に測定された電力消費量として取得する。
【００４６】
図７に示すように、予測日が３月２７日（火）である場合には、予測用パラメータのうち、予測日の前日の電力消費量として３月２６日（月）に測定された電力消費量が取得され、予測日の一週間前の電力消費量として３月１３日（火）に測定された電力消費量が取得され、予測日の予想エンタルピとして３月２７日（火）の予想エンタルピが取得されることになる。
【００４７】
（５）予測日、予測日の前日および予測日の一週間前が、それぞれ休日、平日および休日である場合
このパターンは、通常の土曜日のパターンに該当し、この他に、二週続けて火曜日から金曜日までのいずれかの同一曜日に休日扱いの特異日が設定された場合にも出現するパターンである。
【００４８】
図８を参照し、パターン（５）で取得される予測用パラメータの内容について説明する。図８の丸で囲んだ３月２０日（火）が予測日であり、この日は祝日であるため、特異日となる。予測日の前日は、五角形で囲んだ３月１９日（月）であり、この日は平日である。予測日の一週間前は、３月１３日（火）であり、この日は会社特有の休日であり、特異日となる。
【００４９】
このパターンでは、予測日の前日が平日であり、予測日が休日であるため、予測日を土曜日とみなし、予測日の一週間前のデータとして、予測日の直近の土曜日のデータを使用する。つまり、図８の四角で囲んだ３月１７日（土）に測定された電力消費量を、予測日の一週間前に測定された電力消費量として取得する。
【００５０】
図８に示すように、予測日が３月２０日（火・祝日）である場合には、予測用パラメータのうち、予測日の前日の電力消費量として３月１９日（月）に測定された電力消費量が取得され、予測日の一週間前の電力消費量として３月１７日（土）に測定された電力消費量が取得され、予測日の予想エンタルピとして３月２０日（火・祝日）の予想エンタルピが取得されることになる。
【００５１】
（６）予測日、予測日の前日および予測日の一週間前が、それぞれ平日、休日および休日である場合
このパターンは、月曜日から木曜日までのいずれかに休日扱いの特異日が設定され、その翌日が予測日となり、その予測日の一週間前に休日扱いの特異日が設定された場合に出現するパターンである。
【００５２】
図９を参照し、パターン（６）で取得される予測用パラメータの内容について説明する。図９の丸で囲んだ３月２１日（水）が予測日であり、この日は平日である。予測日の前日は、五角形で囲んだ３月２０日（火）であり、この日は祝日であるため、特異日となる。予測日の一週間前は、３月１４日（水）であり、この日は会社特有の休日であり、特異日となる。
【００５３】
このパターンでは、予測日の前日が休日であり、予測日が平日であるため、予測日を月曜日とみなし、予測日の一週間前のデータとして、予測日の直近の月曜日（特異日を除く）のデータを使用する。つまり、図９の四角で囲んだ３月１９日（月）に測定された電力消費量を、予測日の一週間前に測定された電力消費量として取得する。
【００５４】
図９に示すように、予測日が３月２１日（水）である場合には、予測用パラメータのうち、予測日の前日の電力消費量として３月２０日（火・祝日）に測定された電力消費量が取得され、予測日の一週間前の電力消費量として３月１９日（月）に測定された電力消費量が取得され、予測日の予想エンタルピとして３月２１日（水）の予想エンタルピが取得されることになる。
【００５５】
（７）予測日、予測日の前日および予測日の一週間前が、それぞれ休日、休日および休日である場合
このパターンは、通常の日曜日のパターンに該当し、さらに、日曜日に続けて休日扱いの特異日が設定され、その特異日が予測日となり、その予測日の一週間前にも休日扱いの特異日が設定された場合にも出現するパターンである。
【００５６】
図１０を参照し、パターン（７）で取得される予測用パラメータの内容について説明する。図１０の丸で囲んだ１０月１７日（月）が予測日であり、この日は会社特有の休日であり、特異日となる。予測日の前日は、１０月１６日（日）であり、この日は休日である。予測日の一週間前は、１０月１０日（月）であり、この日は祝日であるため、特異日となる。
【００５７】
このパターンでは、予測日の前日が休日であり、予測日も休日であるため、予測日を日曜日とみなし、予測日の前日のデータとして、予測日の直近の土曜日のデータを使用し、予測日の一週間前のデータとして、予測日の直近の土曜日の直前の日曜日のデータを使用する。つまり、図１０の五角形で囲んだ１０月１５日（土）に測定された電力消費量を、予測日の前日に測定された電力消費量として取得し、図１０の四角で囲んだ１０月９日（日）に測定された電力消費量を、予測日の一週間前に測定された電力消費量として取得する。
【００５８】
図１０に示すように、予測日が１０月１７日（月・休日）である場合には、予測用パラメータのうち、予測日の前日の電力消費量として１０月１５日（土）に測定された電力消費量が取得され、予測日の一週間前の電力消費量として１０月９日（日）に測定された電力消費量が取得され、予測日の予想エンタルピとして１０月１７日（月・休日）の予想エンタルピが取得されることになる。
【００５９】
図１１に、カレンダー情報を設定する際に使用する設定画面の一例を示す。図１１に示す週間稼働設定欄Ｇ１は、一週間の各曜日が、稼働日に該当するのか、休みに該当するのか、を設定する領域である。この週間稼働設定欄Ｇ１で設定した内容が、各曜日における原則的なカレンダー情報として登録される。
【００６０】
図１１に示す特異日設定欄Ｇ２は、特異日の設定を行う領域である。特異日に設定する日にちをカレンダーＧ２１上で選択し、“特異日にする”ボタンＧ２２をクリックすると、特異日が設定される。設定された特異日は、特異日（休日）リストＧ２３に追加表示される。特異日の設定を解除する場合には、特異日（休日）リストＧ２３から削除対象日を選択し、“削除”ボタンＧ２４をクリックする。
【００６１】
図１２に、予測用パラメータの対象日を確認する際に使用する確認画面の一例を示す。図１２に示すカレンダーＧ３上で予測日を選択すると、予測用パラメータのうち、予測日の前日の電力消費量を提供する測定日が、前日データ使用日欄Ｇ４に表示され、予測日の一週間前の電力消費量を提供する測定日が、一週間前データ使用日欄Ｇ５に表示される。
【００６２】
図１に示す選定部１３は、取得部１２により取得された予測用パラメータに基づいて事例モデルＤＢ３を参照し、事例モデルＤＢ３に登録されている履歴データの中から、予測用パラメータに類似する一つまたは複数の履歴データを選定する。以下に具体的に説明する。
【００６３】
選定部１３は、予測用パラメータに含まれる、前日の電力消費量、一週間前の電力消費量および予想エンタルピを、事例モデルの入出力空間に割り当てる。予測用パラメータに含まれる三つの要素（前日の電力消費量、一週間前の電力消費量および予想エンタルピ）は、事例モデルを作成した時の三つの入力変数と合致する。したがって、選定部１３は、これら三つの要素を、事例モデルの入出力空間に割り当てることで、三つの要素に対応する入力空間のメッシュを特定することができる。選定部１３は、特定したメッシュに含まれる履歴データを、予測用パラメータに類似する履歴データとして選定する。
【００６４】
なお、特定したメッシュに含まれる履歴データに加え、その特定したメッシュの周辺に存在するメッシュに含まれる履歴データを、予測用パラメータに類似する履歴データに取り込むこととしてもよい。
【００６５】
予測部１４は、選定部１３により選定された履歴データを用い、代表となる履歴データを算出する。予測部１４は、代表となる履歴データに含まれる、測定時刻の電力消費量に対応する電力消費量を、予測時刻における電力消費量とする。図１３を参照して、具体的に説明する。図１３は、上記図２と同様に、入力変数をｘ１とｘ２との二つにし、出力変数をｙの一つにした場合における例示である。
【００６６】
図１３（Ａ）に示すように、選定部１３により三つの履歴データが選定された場合、予測部１４は、これら三つの履歴データに含まれる各要素（ｘ１、ｘ２、ｙ）の平均値をそれぞれ算出する。予測部１４は、図１３（Ｂ）に示すように、算出したそれぞれの平均値を各要素の値とする履歴データを、代表となる履歴データとする。予測部１４は、代表となる履歴データに含まれる、測定時刻の電力消費量（ｙ）の平均値（８１．９）を、予測時刻における電力消費量とする。なお、代表となる履歴データを求める方法は、平均値を算出して求めることには限定されない。
【００６７】
予測部１４により予測された電力消費量は、例えば、グラフ化してディスプレイ５上に表示することができる。図１４に、ディスプレイ５上に表示する電力消費量の推移グラフを例示する。図１４には、電力消費量の推移グラフＰとエンタルピの推移グラフＥとが表示されている。図中に示す現在時刻よりも右側が２４時間先までの予測値の推移であり、現在時刻よりも左側が一週間前までの実績値の推移となる。ｐ１が予測日の一週間前の電力消費量であり、ｐ２が予測日の前日（現在時刻）の電力消費量であり、ｐ３が予測時刻の電力消費量である。また、ｅ１が予測日の前日（現在時刻）のエンタルピであり、ｅ２が予測時刻のエンタルピである。
【００６８】
ここで、履歴データや予測用パラメータの中にエンタルピを含めるか否かは、任意に設定することができる。エンタルピを含めることで、電力消費量の予測性能を向上させることが可能となる。その理由を以下に説明する。ある施設における電力量は、設備の運用に関わる電力量と、外気温に影響を受ける電力量と、それ以外の電力量との総和になると考えられる。外気温に影響を受ける電力量は、いわゆる負荷熱量であり、この負荷熱量は、外気温や外気湿度に影響を受ける。そのため、電力消費量を予測する際の入力変数として、外気温や外気湿度を利用することで、予測精度を向上させることが可能となる。しかしながら、外気温や外気湿度を入力変数に加えると変数が増加し、入出力空間の次元が増加するため、事例モデルを用いる予測手法では、精度が低下するおそれがある。
【００６９】
一方、外気温と外気湿度とから求まる不快指数を入力変数として用いることも考えられる。しかしながら、本願発明者が、不快指数と同様に外気温と外気湿度とから求まるエンタルピについて、不快指数と比較しながら、実験を重ねたところ、エンタルピの方が、不快指数よりも、空調の熱負荷量に対するレンジ幅を大きく設定できることが判明した。つまり、入力変数としてエンタルピを用いることで、不快指数を用いる場合よりも、電力消費量の予測性能を向上させることが可能となる。
【００７０】
上述してきたように、本実施形態における負荷量予測装置１によれば、定期的に測定される電力消費量と、その測定日の前日に測定された電力消費量と、その測定日の一週間前に測定された電力消費量とを含む履歴データを蓄積し、予測日の前日に測定された電力消費量と、予測日の一週間前に測定された電力消費量とを含む予測用パラメータを取得して、履歴データの中から当該予測用パラメータに類似する履歴データを選定し、選定した履歴データに含まれる電力消費量に基づいて、予測日における電力消費量を算定することができる。
【００７１】
これにより、一週間単位で同じような推移状態を繰り返す傾向にある電力消費量を予測する際に、予測日の前日の電力消費量および予測日の一週間前の電力消費量の組み合わせに類似する過去の履歴データに基づいて、予測日における電力消費量を算定することができるため、予測精度を向上させることが可能となる。
【００７２】
また、本実施形態における負荷量予測装置１によれば、予測日、予測日の前日または予測日の一週間前のうちのいずれかが特異日に該当する場合には、予測用パラメータに含まれる電力消費量のうちの少なくともいずれか一方を、特異日の設定パターンに応じて定まる代替日に測定された電力消費量に変更した、予測用パラメータを取得することができる。
【００７３】
これにより、特異日における電力消費量の推移を取り入れて、電力消費量の予測を行うことができるため、予測精度を向上させることが可能となる。
【００７４】
[変形例]
【００７５】
なお、予測時刻における電力消費量を予測する手法は、上述した実施形態に記載した手法には限定されない。定期的に測定される電力消費量と、その測定日の前日に測定された電力消費量と、その測定日の一週間前に測定された電力消費量とを含む履歴データを蓄積し、予測日の前日に測定された電力消費量と、予測日の一週間前に測定された電力消費量とを含む予測用パラメータに類似する履歴データに基づいて、予測時刻における電力消費量を予測する手順を含む手法であれば、他のどのような手法にも本発明を適用することができる。
【００７６】
また、上述した実施形態では、予測日、予測日の前日または予測日の一週間前のうちのいずれかが、休日扱いの特異日に該当する場合について説明したが、これに限定されない。例えば、特異日が、休日出勤日である場合のように、予測日、予測日の前日または予測日の一週間前のうちのいずれかが、平日扱いの特異日に該当する場合にも、上述した実施形態と同様に適用することができる。
【符号の説明】
【００７７】
１    負荷量予測装置
３    事例モデルＤＢ
５    ディスプレイ
１１  登録部
１２  取得部
１３  選定部
１４  予測部
【図１】
2014057473.tif 000003
【図２】
2014057473.tif 000004
【図３】
2014057473.tif 000005
【図４】
2014057473.tif 000006
【図５】
2014057473.tif 000007
【図６】
2014057473.tif 000008
【図７】
2014057473.tif 000009
【図８】
2014057473.tif 000010
【図９】
2014057473.tif 000011
【図１０】
2014057473.tif 000012
【図１１】
2014057473.tif 000013
【図１２】
2014057473.tif 000014
【図１３】
2014057473.tif 000015
【図１４】
2014057473.tif 000016